(57)【要約】【課題】より高い利便性を有する電子機器、及び電子機器の制御方法を提供する。【解決手段】一実施形態に係る電子機器は、ネットワークを介して外部装置と音声通話する音声通話機能を備えた電子機器であって、放送信号を受信し、前記放送信号に含まれている番組を再生する再生部と、予め設定された番組の再生が前記再生部により開始される前後の予め設定された期間内に前記音声通話機能をオフする第１の制御部と、を具備する。【選択図】      図５
2014123921.tif 000002
【特許請求の範囲】
【請求項１】
ネットワークを介して外部装置と音声通話する音声通話機能を備えた電子機器であって、
放送信号を受信し、前記放送信号に含まれている番組を再生する再生部と、
予め設定された番組の再生が前記再生部により開始される前後の予め設定された期間内に前記音声通話機能をオフする第１の制御部と、
を具備する電子機器。
【請求項２】
前記第１の制御部は、操作入力に基づいて前記音声通話機能をオフする番組を設定する、請求項１に記載の電子機器。
【請求項３】
前記再生部は、選局操作に応じて前記放送信号からチャンネルを選局し、
前記第１の制御部は、チャンネルが選局された場合、予め設定された時間、前記音声通話機能をオフした状態を維持する、
請求項２に記載の電子機器。
【請求項４】
前記第１の制御部は、予め設定された信号が入力された場合、前記音声通話機能をオフした状態を解除する、請求項２に記載の電子機器。
【請求項５】
前記第１の制御部は、操作入力により指定されたジャンルの複数の番組を、前記音声通話機能をオフする番組として一括で設定する、請求項２に記載の電子機器。
【請求項６】
前記第１の制御部は、操作入力により指定されたチャンネルの複数の番組を、前記音声通話機能をオフする番組として一括で設定する、請求項２に記載の電子機器。
【請求項７】
予め設定された番組が前記再生部により再生されている場合、前記音声通話機能により予め設定された外部装置に音声通話を発信する第２の制御部をさらに具備する請求項１に記載の電子機器。
【請求項８】
予め設定された時間に前記音声通話機能をオフする第３の制御部をさらに具備する請求項１に記載の電子機器。
【請求項９】
予め設定された時間に前記音声通話機能をオンする第４の制御部をさらに具備する請求項１に記載の電子機器。
【請求項１０】
予め設定された時間に、前記音声通話機能により予め設定された外部装置に音声通話を発信する第５の制御部をさらに具備する請求項１に記載の電子機器。
【請求項１１】
ネットワークを介して外部装置と音声通話する音声通話機能を備えた電子機器であって、
放送信号を受信し、前記放送信号に含まれている番組情報を取得する番組情報取得部と、
前記番組情報に基づいて電子番組表の画面を生成する画面生成部と、
前記電子番組表の画面で操作入力により選択された番組を、前記音声通話機能をオフする番組として設定する設定部と、
を具備する電子機器。
【請求項１２】
前記設定部は、操作入力により指定されたジャンルの複数の番組を、前記音声通話機能をオフする番組として一括で設定する、請求項１１に記載の電子機器。
【請求項１３】
前記設定部は、操作入力により指定されたチャンネルの複数の番組を、前記音声通話機能をオフする番組として一括で設定する、請求項１１に記載の電子機器。
【請求項１４】
ネットワークを介して外部装置と音声通話する音声通話機能を備えた電子機器の制御方法であって、
放送信号を受信し、放送信号に含まれている番組を再生し、
予め設定された番組が再生されている場合、前記音声通話機能をオフする、
電子機器の制御方法。
【発明の詳細な説明】
【技術分野】
【０００１】
本発明の実施形態は、電子機器、及び電子機器の制御方法
に関する。
【背景技術】
【０００２】
従来、放送信号を受信し、受信した放送信号に含まれている番組などの映像コンテンツを再生することができる例えば放送受信装置などの電子機器が一般的に普及している。また、ネットワークに接続する為の通信部を備え、ネットワーク上のアドレスにアクセスすることができる機能を備えた電子機器が一般的に普及している。またさらに、ネットワークを介した通信を利用した音声通話機能を備えた電子機器が一般的に普及している。
【先行技術文献】
【特許文献】
【０００３】
【特許文献１】特開２０１０−１１８８０１号公報
【発明の概要】
【発明が解決しようとする課題】
【０００４】
従来の装置では、音声通話機能の有効と無効との切替と、特定の番組またはチャンネルとを関連付ける手段がない。しかし、特定の番組またはチャンネルをユーザが視聴している場合に音声通話機能を無効にしたいという要望がある。
【０００５】
本発明の一形態の目的は、より高い利便性を有する電子機器、及び電子機器の制御方法を提供することである。
【課題を解決するための手段】
【０００６】
一実施形態に係る電子機器は、ネットワークを介して外部装置と音声通話する音声通話機能を備えた電子機器であって、放送信号を受信し、前記放送信号に含まれている番組を再生する再生部と、予め設定された番組の再生が前記再生部により開始される前後の予め設定された期間内に前記音声通話機能をオフする第１の制御部と、を具備する。
【図面の簡単な説明】
【０００７】
【図１】図１は、一実施形態に係る電子機器について説明する為の図である。
【図２】図２は、一実施形態に係る電子機器について説明する為の図である。
【図３】図３は、一実施形態に係る電子機器について説明する為の図である。
【図４】図４は、一実施形態に係る電子機器について説明する為の図である。
【図５】図５は、一実施形態に係る電子機器について説明する為の図である。
【図６】図６は、一実施形態に係る電子機器について説明する為の図である。
【図７】図７は、一実施形態に係る電子機器について説明する為の図である。
【図８】図８は、一実施形態に係る電子機器について説明する為の図である。
【図９】図９は、一実施形態に係る電子機器について説明する為の図である。
【発明を実施するための形態】
【０００８】
以下、図を参照しながら、一実施形態に係る電子機器、及び電子機器の制御方法について詳細に説明する。
【０００９】
図１は、一実施形態に係る放送受信装置１００の例を示す。  
放送受信装置１００は、例えば、放送信号、または記憶媒体に記憶されている映像コンテンツなどを再生することができる電子機器である。放送受信装置１００は、例えば、テレビ、レコーダ、チューナを備えたＰＣ、チューナを備えた携帯電話などの携帯電話端末などの電子機器である。放送受信装置１００は、無線通信のアクセスポイントとして機能する無線通信端末を介してネットワークに接続することができる。
【００１０】
放送受信装置１００は、放送信号入力端子１１０、チューナ１１１、復調部１１２、信号処理部１１３、音声処理部１２１、映像処理部１３１、ＯＳＤ処理部１３２、表示処理部１３３、制御部１５０、操作入力部１６１、受光部１６２、通信部１７１、及びストレージ１７２を備える。また、放送受信装置１００は、さらにスピーカ１２２及びディスプレイ１３４を備える。
【００１１】
放送信号入力端子１１０は、例えばアンテナ１０３により受信されたディジタル放送信号を受け取ることができる。アンテナ１０３は、例えば、地上ディジタル放送信号、ＢＳ（ｂｒｏａｄｃａｓｔｉｎｇ  ｓａｔｅｌｌｉｔｅ）ディジタル放送信号、及び／または、１１０度ＣＳ（ｃｏｍｍｕｎｉｃａｔｉｏｎ  ｓａｔｅｌｌｉｔｅ）ディジタル放送信号を受信することができる。放送信号入力端子１１０は、上記したディジタル放送信号により供給される番組などのコンテンツのデータを受け取ることができる。
【００１２】
放送信号入力端子１１０は、受信したディジタル放送信号をチューナ１１１に供給する。チューナ１１１は、ディジタル放送信号用のチューナである。チューナ１１１は、チューニングしたディジタル放送信号を復調部１１２に送信する。
【００１３】
復調部１１２は、受信したディジタル放送信号を復調する。これにより、復調部１１２は、ディジタル放送信号からトランスポートストリーム（ＴＳ）などのコンテンツデータを取得する。復調部１１２は、取得したコンテンツデータを信号処理部１１３に入力する。即ち、アンテナ１０３、チューナ１１１、及び復調部１１２は、コンテンツデータを受信する受信部として機能する。
【００１４】
信号処理部１１３は、コンテンツデータの分離などの信号処理を行う。即ち、信号処理部１１３は、コンテンツデータをディジタル映像信号、ディジタル音声信号、及びその他のデータ信号に分離する。信号処理部１１３は、音声処理部１２１に音声信号を供給する。また、信号処理部１１３は、映像処理部１３１に映像信号を供給する。さらに、信号処理部１１３は、制御部１５０にデータ信号を供給する。
【００１５】
音声処理部１２１は、信号処理部１１３から受信したディジタル音声信号を、スピーカ１２２により再生可能なフォーマットの信号（オーディオ信号）に変換する。例えば、音声処理部１２１は、ディジタル音声信号をディジタル／アナログ変換によりオーディオ信号に変換する。音声処理部１２１は、オーディオ信号をスピーカ１２２に供給する。スピーカ１２２は、供給されるオーディオ信号に基づいて音を再生する。
【００１６】
映像処理部１３１は、信号処理部１１３から受信したディジタル映像信号を、ディスプレイ１３４で再生可能なフォーマットの映像信号（表示用映像信号）に変換する。映像処理部１３１は、信号処理部１１３から供給されたディジタル映像信号に基づいて表示用映像信号を生成するレンダリングを行う。映像処理部１３１は、信号処理部１１３から供給されたディジタル映像信号に対して種々の演算処理を行うことにより、レンダリングを行う。映像処理部１３１は、レンダリングされた表示用映像信号を表示処理部１３３に出力する。
【００１７】
ＯＳＤ処理部１３２は、制御部１５０から供給されたコマンドに応じて、メニュー画面、Ｗｅｂ閲覧用のブラウザ、種々のアプリのウィンドウ、またはメニューなどの他の種々の情報をディスプレイ１３４に表示させる為の表示用映像信号を生成する。ＯＳＤ処理部１３２は、生成した表示用映像信号を映像処理部１３１から出力された表示用映像信号に重畳させる。
【００１８】
表示処理部１３３は、例えば、制御部１５０からの制御に基づいて、受信した映像信号に対して色味、明るさ、シャープ、コントラスト、またはその他の画質調整処理を行う。表示処理部１３３は、画質調整を施した表示用映像信号をディスプレイ１３４に供給する。ディスプレイ１３４は、供給される表示用映像信号に基づいて映像を表示する。
【００１９】
ディスプレイ１３４は、例えば、マトリクス状に配列された複数の画素を備える液晶表示パネルと、この液晶パネルを照明するバックライトとを備える液晶表示装置などを備える。ディスプレイ１３４は、表示処理部１３３から供給される表示用映像信号に基づいて映像を表示する。
【００２０】
制御部１５０は、放送受信装置１００の各部の動作を制御する制御部として機能する。制御部１５０は、ＣＰＵ１５１、ＲＯＭ１５２、ＲＡＭ１５３、及び不揮発性メモリ１５４などを備えている。制御部１５０は、操作入力部１６１または受光部１６２から供給される操作信号に基づいて、種々の処理を行う。
【００２１】
ＣＰＵ１５１は、種々の演算処理を実行する演算素子などを備える。ＣＰＵ１５１は、ＲＯＭ１５２、または不揮発性メモリ１５４などに記憶されているプログラムを実行することにより種々の機能を実現する。
【００２２】
ＲＯＭ１５２は、放送受信装置１００を制御する為のプログラム、及び各種の機能を実現する為のプログラムなどを記憶する。ＣＰＵ１５１は、操作入力部１６１から供給される操作信号に基づいて、ＲＯＭ１５２に記憶されているプログラムを起動する。これにより、制御部１５０は、各部の動作を制御する。
【００２３】
ＲＡＭ１５３は、ＣＰＵ１５１のワークメモリとして機能する。即ち、ＲＡＭ１５３は、ＣＰＵ１５１の演算結果、ＣＰＵ１５１により読み込まれたデータなどを記憶する。
【００２４】
不揮発性メモリ１５４は、各種の設定情報、及びプログラムなどを記憶する不揮発性メモリである。
【００２５】
また、制御部１５０は、ディスプレイ１３４に種々のユーザインターフェースを表示させる為のコマンドを生成する。制御部１５０は、生成したコマンドをＯＳＤ処理部１３２に供給する。これにより、制御部１５０は、映像に重畳させるユーザインターフェースをＯＳＤ処理部１３２に生成させることができる。
【００２６】
操作入力部１６１は、例えば、ユーザによる操作入力に応じて操作信号を生成する操作キー、またはタッチパッドなどを備える。また、操作入力部１６１は、キーボード、マウス、または操作信号を生成する事ができる他の入力装置などから操作信号を受け取る構成であってもよい。操作入力部１６１は、操作信号を制御部１５０に供給する。なお、タッチパッドは、静電容量式センサ、または他の方式に基づいて位置情報を生成するデバイスを含む。
【００２７】
受光部１６２は、例えば、リモートコントローラ１６３からの赤外線を受光する受光レンズと、受光した光を電気信号に変換するフォトダイオードなどのセンサとを備える。受光部１６２は、受信した赤外線から元の操作信号を生成し、操作信号を制御部１５０に供給する。
【００２８】
リモートコントローラ１６３は、ユーザの操作入力に基づいて操作信号を生成する。リモートコントローラ１６３は、生成した操作信号を赤外線に変換し、赤外線を出力する。これにより、リモートコントローラ１６３は、受光部１６２に赤外線を送信する。
【００２９】
通信部１７１は、ＬＡＮまたは無線ＬＡＮにより無線通信端末経由でインターネット、またはホームネットワークなどのネットワーク上の他の機器と通信を行なうことができる。これにより、放送受信装置１００は、無線通信端末に接続されている他の機器と通信することができる。
【００３０】
ストレージ１７２は、ハードディスクドライブ（ＨＤＤ）、ソリッドステイトドライブ（ＳＳＤ）、または他の記憶装置を備える。制御部１５０は、信号処理部１１３により処理されたトランスポートストリームをストレージ１７２に記憶させることができる。また、制御部１５０は、トランスポートストリームを他の形式のデータにエンコードすることができる。制御部１５０は、エンコードされたデータをストレージ１７２に記憶させる構成であってもよい。これにより、放送受信装置１００は、放送信号、またはネットワークなどを介して供給されたコンテンツをストレージ１７２に録画することができる。
【００３１】
なお、放送受信装置１００は、複数組のチューナ１１１及び復調部１１２を備える構成であってもよい。放送受信装置１００は、チューナ１１１及び復調部１１２を複数組備えている場合、放送信号から複数の周波数の信号を取得することができる。これにより、放送受信装置１００は、複数のチャンネルのトランスポートストリームを同時に取得することができる。これにより、放送受信装置１００は、複数のチャンネルのトランスポートストリーム、またはトランスポートストリームがエンコードされたデータを同時にストレージ１７２に録画することが出来る。
【００３２】
また、放送受信装置１００は、マイク１３５が接続される端子を備える。マイク１３５は、音を電気信号（音声信号）に変換する集音装置である。制御部１５０は、端子を介してマイク１３５から供給された音声信号を受け取ることができる。
【００３３】
また、通信部１７１は、キーボード、マウス、マイク１３５、ヘッドセットまたは他の入力装置などから信号を受け取る構成であってもよい。例えば、放送受信装置１００がＵＳＢ端子、またはＢｌｕｅｔｏｏｔｈ（登録商標）のモジュールなどを備えている場合、通信部１７１は、ＵＳＢ、またはＢｌｕｅｔｏｏｔｈにより接続された入力装置から信号を受け取り、制御部１５０に供給する。
【００３４】
また、ストレージ１７２は、種々の処理を実行可能なアプリケーションを記憶している。例えば、ストレージ１７２は、ネットワークを介して他の装置との間で音声信号を送受信することができる音声通話のアプリケーション（音声通話機能）を記憶している。
【００３５】
放送受信装置１００は、音声通話機能を実行した場合、ネットワークを介して他の装置に対してマイク１３５から供給された音声信号を送信することができる。また、放送受信装置１００は、音声通話機能を実行した場合、ネットワークを介して他の装置から供給された音声信号をスピーカ１２２、または通信部１７１などに接続されたヘッドセットなどから出力させることができる。これにより、放送受信装置１００は、ネットワークを介した装置間で音声通話を行なう事ができる。
【００３６】
なお、制御部１５０は、放送受信装置１００の起動時、または操作入力に基づいて、音声通話機能を実行する。さらに、制御部１５０は、音声通話機能をバックグラウンドで実行させることができる。
【００３７】
なお、制御部１５０は、操作入力、または放送受信装置１００の状態、または予め設定された条件に基づいて、音声通話機能のオンオフを切り替えることができる。例えば、音声通話機能が、ＩＤ及びパスワードを用いて認証サーバにログインし、このサーバを介して他のユーザと接続する機能である場合、制御部１５０は、認証サーバからログアウトすることにより音声通話機能をオフすることができる。また、制御部１５０は、音声通話機能のアプリケーションを停止させる、即ち無効化することにより、音声通話機能をオフすることができる。
【００３８】
制御部１５０は、操作入力に応じて、放送信号を選局する。即ち、制御部１５０は、操作入力に応じて、放送受信装置１００により表示する番組（または番組を提供するチャンネル）を選択する。
【００３９】
また、制御部１５０は、放送信号から電子番組表（ＥＰＧ）を生成する為の情報を取得する。例えば、制御部１５０は、チャンネルの情報（チャンネル情報）と、各チャンネル内の各番組の情報（番組情報）とを取得することができる。なお、番組情報は、放送局を示す情報、放送時間を示す情報、番組のジャンルを示す情報、番組の概要を示す情報（番組概要）、及び番組の詳細を示す情報（番組詳細情報）などを含む。
【００４０】
制御部１５０は、チャンネル情報及び番組情報を取得することにより、放送信号に含まれているチャンネルの一覧及び番組の一覧を認識することができる。即ち、制御部１５０は、取得した情報に基づいてＥＰＧ画面を生成する画面生成部としても機能する。制御部１５０は、生成したＥＰＧ画面をＲＡＭ１５３または不揮発性メモリ１５４に記憶する。さらに、制御部１５０及びＯＳＤ処理部１３２は、ＲＡＭ１５３または不揮発性メモリ１５４に記憶されたＥＰＧ画面を操作入力に応じてディスプレイ１３４に表示させることができる。
【００４１】
図２は、ＥＰＧ画面２０１の例を示す。ＥＰＧ画面２０１は、ＧＵＩ（Ｇｒａｐｈｉｃａｌ  Ｕｓｅｒ  Ｉｎｔｅｒｆａｃｅ）の一種である。制御部１５０は、ＯＳＤ処理部１３２にＧＵＩの種々の画面をレンダリングさせることができる。
【００４２】
なお、ＧＵＩは、電子番組表、番組情報表示、及び各種メニューなどのディスプレイ１３４上にグラフィカルに表示されるものを含む。制御部１５０は、ＧＵＩをディスプレイ１３４に表示させるようにＯＳＤ処理部１３２を制御することにより、種々の情報をユーザに知らせることができる。
【００４３】
ＥＰＧ画面２０１は、各時間帯に放送される各チャンネル毎の番組の一覧の表示を含む。制御部１５０は、横方向にチャンネルの一覧を表示させる。さらに、制御部１５０は、縦方向に各チャンネル毎の番組の一覧を表示させる。さらに、制御部１５０は、各番組の欄内に番組情報を表示させてもよい。
【００４４】
制御部１５０は、操作入力に応じて、ＥＰＧ画面２０１に表示されている複数の番組欄のうちの１つを選択する。図２の例によると、「０４１ｃｈ」のＡＭ１１時からの番組の番組欄２０６が選択された状態となっている。
【００４５】
この場合、放送受信装置１００は、リモートコントローラ１６３のカラーキーまたは決定キーなどの入力に応じて種々の処理を実行する。
【００４６】
また、ＥＰＧ画面２０１は、案内表示２０７及び２０８を含む。案内表示２０７は、青のカラーキーが選択された場合に番組情報を表示させることをユーザに報知するための表示である。案内表示２０８は、赤のカラーキーが選択された場合に過去番組表を表示させることをユーザに報知するための表示である。
【００４７】
例えば、１つの番組欄を選択している状態でリモートコントローラの決定キー、または青のカラーキーなどが選択された場合、制御部１５０は、図３に示されるような番組情報を表示するためのウィンドウ３０１をＥＰＧ画面２０１に重畳させて表示する。
【００４８】
ウィンドウ３０１は、チャンネル名、放送局名、及び放送日時などを示す表示欄３０２を含む。また、ウィンドウ３０１は、番組名、番組のジャンル、番組概要、及び番組の詳細情報などを示す表示欄３０３を含む。
【００４９】
さらに、ウィンドウ３０１は、表示欄３０３により示されている番組を録画する場合の録画先、及び録画品質を示す表示欄３０４を含む。さらに、ウィンドウ３０１は、案内表示３０５乃至３０８を含む。案内表示３０５乃至３０８は、それぞれカラーキーの機能を示す表示である。
【００５０】
案内表示３０５は、青のカラーキーが選択された場合、通話禁止設定を設定する旨の案内表示である。案内表示３０６は、赤のカラーキーが選択された場合、共有設定を設定する旨の案内表示である。案内表示３０７は、緑のカラーキーが選択された場合、視聴予約を設定する旨の案内表示である。案内表示３０８は、黄のカラーキーが選択された場合、録画予約を設定する旨の案内表示である。
【００５１】
制御部１５０は、緑のカラーキーが選択された場合、表示欄３０３により示されている番組の視聴予約を設定する。これにより、放送受信装置１００は、表示欄３０３により示されている番組のストリームを放送信号により受け取った場合に自動的にこの番組を選局する。
【００５２】
制御部１５０は、黄のカラーキーが選択された場合、表示欄３０３により示されている番組の予約録画を設定する。これにより、放送受信装置１００は、表示欄３０３により示されている番組のストリームを放送信号により受け取った場合に自動的にこの番組を録画する。
【００５３】
図３のウィンドウ３０１の表示中に青のカラーキーが選択された場合、制御部１５０は、図４に示されたように表示欄３０３により示されている番組の視聴時の通話禁止設定を設定する為のウィンドウ４０１をＥＰＧ画面２０１に重畳させて表示する。
【００５４】
ウィンドウ４０１は、チャンネル名、放送局名、及び放送日時などを示す表示欄４０２を含む。また、ウィンドウ４０１は、番組名と、案内表示とを示す表示欄４０３を含む。なお、制御部１５０は、「この番組の視聴中の通話を禁止しますか？」という案内表示を表示欄４０３に表示させる。さらに、ウィンドウ４０１は、ＹＥＳボタン４０５、及びＮＯボタン４０６を含む。
【００５５】
制御部１５０は、ＹＥＳボタン４０５が選択された場合、表示欄４０３により示された番組の表示中に音声通話機能をオフするように通話禁止設定を設定する。すなわち、制御部１５０は、音声通話機能をオフする番組を設定する設定部としても機能する。制御部１５０は、例えば、通話禁止設定を不揮発性メモリ１５４に保存する。また、制御部１５０は、ＮＯボタン４０６が選択された場合、設定を行なわずにウィンドウ４０１を閉じる。
【００５６】
図５は、通話禁止設定が設定されている場合の放送受信装置１００の処理の例を示す。
【００５７】
放送受信装置１００の制御部１５０は、選局操作及び放送受信装置１００の電源ＯＮなどに応じて、放送受信装置１００のディスプレイ１３４に番組の映像を表示させる（ブロックＢ１１）。即ち、制御部１５０は、放送信号を受信し、選局し、選局した番組のストリームを再生し、ディスプレイ１３４に表示させる。
【００５８】
さらに、制御部１５０は、通話禁止設定を参照する。制御部１５０は、視聴中の番組が通話禁止番組であるか否か通話禁止設定に基づいて判断する（ブロックＢ１２）。即ち、制御部１５０は、表示中の番組が音声通話機能をオフするように設定された番組であるか否か判断する。
【００５９】
視聴中の番組が通話禁止番組ではない場合、制御部１５０は、この番組の出力を継続する。制御部１５０は、ブロックＢ１３で選局操作が入力された場合、ブロックＢ１２に移行し、選局された番組が通話禁止番組であるか否か判断する。
【００６０】
視聴中の番組が通話禁止番組である場合、制御部１５０は、放送受信装置１００の音声通話機能をオフする（ブロックＢ１４）。例えば、制御部１５０は、音声通話機能のアプリケーションを停止させる、または認証サーバからログアウトさせることにより、音声通話機能をオフする。制御部１５０は、通話禁止番組が終了するまで音声通話機能をオフした状態を維持する。
【００６１】
制御部１５０は、音声通話機能をオフした旨をディスプレイ１３４に表示させるようにＯＳＤ処理部１３２を制御する（ブロックＢ１５）。これにより、放送受信装置１００は、通話禁止番組が選局されている為、音声通話機能をオフしたことをユーザに通知することができる。
【００６２】
制御部１５０は、選局中の番組が終了したか否か逐次判断する（ブロックＢ１６）。さらに、制御部１５０は、新たに選局操作が入力されたか否か逐次判断する（ブロックＢ１７）。
【００６３】
選局中の番組、即ち通話禁止番組が終了したと判断した場合、制御部１５０は、音声通話機能をオンする（ブロックＢ１８）。例えば、制御部１５０は、音声通話機能のアプリケーションを再度起動する、または認証サーバにログインすることにより、音声通話機能をオンする。
【００６４】
また、ブロックＢ１７で選局操作が入力されたと判断した場合、制御部１５０は、音声通話機能をオフした状態を維持する（ブロックＢ１９）。即ち、制御部１５０は、通話禁止番組から他の番組にチャンネルが切り替えられた場合であっても、音声通話機能をオフした状態を維持する。さらに、制御部１５０は、チャンネルが切り替えられてからの経過時間をカウントする。
【００６５】
制御部１５０は、チャンネルが切り替えられてからの経過時間が予め設定された時間に達したか否か逐次判断する（ブロックＢ２０）。チャンネルが切り替えられてからの経過時間が予め設定された時間に達したと判断した場合、制御部１５０は、ブロックＢ１８に移行し、音声通話機能をオンする。
【００６６】
なお、制御部１５０は、ブロックＢ１７で選局された番組が通話禁止番組である場合、チャンネルが切り替えられてからの経過時間をカウントせずに、ブロックＢ１６の処理に移行する構成であってもよい。
【００６７】
なお、上記のような処理によると、制御部１５０は、通話禁止番組の放送時間になった場合であっても、視聴されている番組が通話禁止番組ではない場合、音声通話機能をオフにしない。制御部１５０は、ブロックＢ１２及びブロックＢ１３で示されたように、視聴されている番組、即ち選局されている番組が通話禁止番組である場合に、音声通話機能をオフにする。
【００６８】
上記のように、制御部１５０は、予め音声通話機能を無効にする通話禁止番組を設定し、設定された通話禁止番組の視聴時に音声通話機能をオフする。これにより、ユーザが特定の番組を視聴している間に外部から放送受信装置１００に音声通話が発信されることを防ぐことができる。この結果、より高い利便性を有する電子機器、及び電子機器の制御方法を提供することができる。
【００６９】
また、制御部１５０は、音声通話機能がオフされてから通話禁止番組ではない他の番組にチャンネルが切り替えられたとしても、予め設定された時間の間、音声通話機能をオフした状態を維持することができる。これにより、制御部１５０は、細かなチャンネルの切り替えで音声通話機能をオフした状態が解除されることを防ぐことができる。
【００７０】
また、放送受信装置１００は、通話禁止番組の視聴時に、特定の操作に応じて音声通話機能をオフした状態を解除する、即ち音声通話機能をオンする構成であってもよい。例えば、制御部１５０は、リモートコントローラ１６３の特定のボタンに応じた信号、またはクイックメニューからの操作に基づいて、音声通話機能をオフした状態を解除する構成であってもよい。
【００７１】
また、放送受信装置１００は、通話禁止番組ではない番組の視聴時に、特定の操作に応じて音声通話機能をオフする構成であってもよい。例えば、制御部１５０は、リモートコントローラ１６３の特定のボタンに応じた信号、またはクイックメニューからの操作に基づいて、視聴中の番組を通話禁止番組に設定する構成であってもよい。
【００７２】
また、制御部１５０は、上記したように複数のチャンネルの番組を同時にストレージ１７２に録画することができる。さらに、制御部１５０は、ストレージ１７２に録画された番組の一覧を用いて過去番組表を生成することができる。過去番組表は、ストレージ１７２に録画された番組を放送日時に合わせてＥＰＧと同様に生成された番組表である。放送受信装置１００は、過去番組表内の操作に応じて、録画された番組を再生することができる。
【００７３】
放送受信装置１００は、通話禁止番組の視聴時に、過去番組表から番組が選局された場合、即ち、ストレージ１７２に録画されている番組を再生する操作が入力された場合、音声通話機能をオフした状態を解除する構成であってもよい。
【００７４】
また、制御部１５０は、過去番組表から通話禁止番組を設定する構成であってもよい。制御部１５０は、過去番組表内で番組欄が選択された場合、図３に示すウィンドウ３０１と同様のウィンドウを表示させる。なお、表示欄３０４には、選択した番組が録画されているストレージ１７２を示す情報が表示される。また、案内表示３０７として、緑のカラーキーが選択された場合に番組を保存する（番組が削除されないようにプロテクトをかける）旨が表示される。またさらに、案内表示３０８として、黄のカラーキーが選択された場合、選択された番組を再生する旨が表示される。
【００７５】
過去番組表内の操作により表示されたウィンドウ３０１の表示中に青のカラーキーが選択された場合、制御部１５０は、表示欄３０３により示されている番組の視聴時の通話禁止番組として設定する。さらに、制御部１５０は、表示欄３０３により示されている番組と同じ番組で、これから放送予定の番組を通話禁止番組として設定する構成であってもよい。
【００７６】
さらに、制御部１５０は、通話禁止番組として設定された番組を履歴として記憶しておく構成であってもよい。例えば、制御部１５０は、通話禁止番組として設定された番組が過去にも通話禁止番組として設定されていた場合、今後も通話禁止番組として設定するか否かをユーザに選択させる構成であってもよい。
【００７７】
またさらに、制御部１５０は、番組のジャンルに基づいて複数の番組を一括して通話禁止番組として設定する構成であってもよい。ＥＰＧを作成する為の番組情報には、番組のジャンルを示す情報が含まれている。制御部１５０は、ユーザの操作入力に応じて、通話禁止番組として登録する番組のジャンル（通話禁止ジャンル）を設定する。制御部１５０は、選局されている番組が通話禁止ジャンルとして登録されているジャンルの番組である場合、音声通話機能をオフする。
【００７８】
またさらに、制御部１５０は、チャンネルで音声通話機能のオン／オフを設定する構成であってもよい。例えば、制御部１５０は、ユーザの操作入力に応じて、音声通話機能をオフするチャンネル（通話禁止チャンネル）を設定する。制御部１５０は、選局されているチャンネルが通話禁止チャンネルである場合、音声通話機能をオフする。
【００７９】
さらに、制御部１５０は、既に放送受信装置１００に設定されている情報を用いて音声通話機能を停止させる番組、ジャンル、またはチャンネルを設定しても良い。例えば、お気に入りチャンネルなどが既に設定されている場合、制御部１５０は、お気に入りチャンネルを通話禁止チャンネルとして自動的に設定する構成であってもよい。
【００８０】
また、上記の実施形態では、制御部１５０は、選局された番組が通話禁止番組である場合、音声通話機能をオフする構成であると説明したが、この構成に限定されない。制御部１５０は、通話禁止番組として設定された番組の再生が開始される前後の予め設定された期間内に音声通話機能をオフする構成であってもよい。
【００８１】
例えば、制御部１５０は、番組情報に基づいて、通話禁止番組として設定された番組の再生が開始されるまでの時間を認識することができる。例えば、制御部１５０は、通話禁止番組として設定された番組の再生が開始されるまでの時間が予め設定された時間未満になった場合に音声通話機能をオフする構成であってもよい。また、制御部１５０は、通話禁止番組として設定された番組の再生が開始されるのと同時に音声通話機能をオフする構成であってもよい。
【００８２】
さらに、制御部１５０は、番組情報に基づいて、通話禁止番組として設定された番組の再生を開始してからの経過時間を認識することができる。なお、制御部１５０は、実際に番組の再生を開始してからの時間をカウントすることにより、通話禁止番組として設定された番組の再生を開始してからの経過時間を認識する構成であってもよい。制御部１５０は、例えば、通話禁止番組として設定された番組の再生を開始してからの経過時間が予め設定された時間以上になった場合に音声通話機能をオフする構成であってもよい。なお、制御部１５０は、通話禁止番組として設定された番組の再生が開始されたと同時に音声通話機能をオフする構成であってもよいことは言うまでもない。
【００８３】
次に、共有設定について説明する。  
図３のウィンドウ３０１の表示中に赤のカラーキーが選択された場合、制御部１５０は、図６に示されたように表示欄３０３により示されている番組の視聴時に番組を共有する共有設定を設定する為のウィンドウ６０１をＥＰＧ画面２０１に重畳させて表示する。
【００８４】
ウィンドウ６０１は、チャンネル名、放送局名、及び放送日時などを示す表示欄６０２を含む。また、ウィンドウ６０１は、番組名と、案内表示とを示す表示欄６０３を含む。なお、制御部１５０は、「この番組を共有しますか？」という案内表示を表示欄６０３に表示させる。さらに、ウィンドウ６０１は、ＹＥＳボタン６０５、及びＮＯボタン６０６を含む。
【００８５】
制御部１５０は、ＹＥＳボタン６０５が選択された場合、表示欄６０３により示された番組の視聴時に音声通話機能によりネットワークを介して接続された他のユーザに音声通話を発信するように設定する。即ち、制御部１５０は、表示欄６０３により示された番組を共有番組として設定する。この為に、制御部１５０は、音声通話の相手を設定する為のウィンドウ６０７を表示する。
【００８６】
ウィンドウ６０７は、案内表示を示す表示欄６０８と、音声通話機能によりコンタクトが可能なユーザのリスト６０９とを含む。制御部１５０は、表示欄６０８に「誰と共有しますか？」という案内表示を表示させる。制御部１５０は、リスト６０９内で選択されたユーザに音声通話を発信するように設定する。
【００８７】
上記のように設定された場合、制御部１５０は、選局中の番組が共有番組として設定された番組であるか否か判断する。
【００８８】
選局中の番組が共有番組として設定された番組である場合、制御部１５０は、予めユーザにより選択された相手に音声通話機能により音声通話を発信する。これにより、放送受信装置１００は、予め共有番組として設定された番組の視聴が開始された場合に、予め設定された相手と音声通話を開始することができる。
【００８９】
これにより、放送受信装置１００は、特定番組を誰かと通話しながら楽しみたいというユーザの利便性を向上させることができる。また、放送受信装置１００は、音声通話機能のログイン及び通話開始操作などが無い場合であっても自動的に音声通話を開始することができる。
【００９０】
なお、制御部１５０は、音声通話を行う為のアプリケーションを放送受信装置１００が複数所持している場合、アプリケーションをユーザに選択させる構成であってもよい。例えば、制御部１５０は、ウィンドウ６０７にさらに音声通話のアプリケーションのリストを表示させてもよい。制御部１５０は、リストに表示されたアプリケーションの中から操作入力により選択されたアプリケーションを音声通話に用いる。
【００９１】
また、過去番組表内の操作により表示されたウィンドウ３０１の表示中に赤のカラーキーが選択された場合、制御部１５０は、図６に示すウィンドウ６０１及び６０７を表示させる構成であってもよい。これにより、制御部１５０は、過去番組表からであっても共有番組を設定することができる。さらに、制御部１５０は、表示欄３０３により示されている番組と同じ番組で、これから放送予定の番組を共有番組として設定する構成であってもよい。
【００９２】
さらに、制御部１５０は、共有番組として設定された番組を履歴として記憶しておく構成であってもよい。例えば、制御部１５０は、共有番組として設定された番組が過去にも共有番組として設定されていた場合、今後も共有番組として設定するか否かをユーザに選択させる構成であってもよい。
【００９３】
さらに、制御部１５０は、ＥＰＧ上の通話禁止番組、及び共有番組にアイコンを付加する構成であってもよい。
【００９４】
図７は、通話禁止番組、及び共有番組が設定された場合のＥＰＧ画面７０１の例を示す。なお、図７は、「０４１ｃｈ」の「番組Ｃ０２」が通話禁止番組として設定されており、「０４１ｃｈ」の「番組Ｃ０１」が共有番組として設定されている例を示す。
【００９５】
制御部１５０は、通話禁止番組として設定された番組の番組欄にアイコン７０２を表示させる。また、制御部１５０は、共有番組として設定された番組の番組欄にアイコン７０３を表示させる。これにより、放送受信装置１００は、ＥＰＧ画面上で通話禁止番組として設定された番組と共有番組として設定された番組とをユーザに認識させることができる。
【００９６】
また、放送受信装置１００は、予め設定された時間に音声通話機能をオフする構成であってもよい。
【００９７】
図８は、音声通話機能をオフする時間を設定する為のウィンドウの例を示す。制御部１５０は、クイックメニュー、通常の設定メニュー、または音声通話機能のアプリケーションの設定メニューで音声通話機能をオフする時間を設定する為の操作が入力された場合、ウィンドウ８０１を表示する。
【００９８】
ウィンドウ８０１は、音声通話機能をオフする時間、即ち、音声通話の禁止を開始する時間を設定する為の入力欄８０２を含む。また、ウィンドウ８０１は、音声通話機能をオフからオンに切り替える時間、即ち、音声通話の禁止を解除する時間を設定する為の入力欄８０３を含む。
【００９９】
制御部１５０は、入力欄８０２及び８０３に入力された時間に基づいて、音声通話機能をオフする時間及び音声通話機能をオンする時間をそれぞれ設定する。制御部１５０は、この設定に基づいて音声通話機能のオン及びオフを切り替える。即ち、制御部１５０は、現時刻が音声通話機能をオフする時間になったと判断した場合、音声通話機能をオフする。また、制御部１５０は、現時刻が音声通話機能をオンする時間になったと判断した場合、音声通話機能をオンする。
【０１００】
さらに、ウィンドウ８０１は、上記の時間の設定で繰り返し音声通話機能のオンオフを制御するか否かを設定する為のメニュー８０４を含む。メニューの内容は、例えば、「毎日」、「一回」、及び「曜日」である。即ち、制御部１５０は、一回のみ、毎日、または曜日を指定して音声通話を禁止する時間を設定することができる。
【０１０１】
例えば、メニュー８０４で「毎日」が選択された場合、制御部１５０は、毎日入力欄８０２及び８０３に入力された時間に基づいて、音声通話機能のオンオフを切り替える。また、例えば、メニュー８０４で「一回」が選択された場合、制御部１５０は、入力欄８０２及び８０３に入力された時間に基づいて、一回のみ音声通話機能のオンオフを切り替える。
【０１０２】
また、メニュー８０４で「曜日」が選択された場合、制御部１５０は、ウィンドウ８０１内に曜日のリスト８０５を表示させる。これにより、制御部１５０は、音声通話を禁止する曜日をユーザに指定させることができる。メニュー８０４で「曜日」が選択された場合、制御部１５０は、リスト８０５で指定された曜日のみ、入力欄８０２及び８０３に入力された時間に基づいて、音声通話機能のオンオフを切り替える。
【０１０３】
上記のような構成により、放送受信装置１００は、ユーザの意図に合わせて音声通話を禁止する時刻を設定することができる。これにより、放送受信装置１００は、ユーザが意図しない時間に音声通話を受信することを防ぐことができる。
【０１０４】
また、放送受信装置１００は、予め設定された時間にのみ音声通話機能をオンする構成であってもよい。この場合、制御部１５０は、図８と同様のウィンドウを表示させる。なお、この場合、ウィンドウ８０１は、音声通話機能をオンする時間、即ち、音声通話のオフを解除する時間を設定する為の入力欄を含む。また、ウィンドウ８０１は、音声通話機能をオンからオフに切り替える時間、即ち、音声通話の禁止を開始する時間を設定する為の入力欄を含む。
【０１０５】
制御部１５０は、上記の各入力欄に入力された時間に基づいて、音声通話機能をオンする時間及び音声通話機能をオフする時間をそれぞれ設定する。
【０１０６】
上記のような構成によっても、放送受信装置１００は、ユーザの意図に合わせて音声通話を禁止する時刻を設定することができる。これにより、放送受信装置１００は、ユーザが意図しない時間に音声通話を受信することを防ぐことができる。
【０１０７】
また、放送受信装置１００は、予め設定された時間に自動的に音声通話を開始する構成であってもよい。
【０１０８】
図９は、音声通話を自動的に開始する時間を設定する為のウィンドウの例を示す。制御部１５０は、クイックメニュー、通常の設定メニュー、または音声通話機能のアプリケーションの設定メニューで音声通話を自動的に開始する時間を設定する為の操作が入力された場合、ウィンドウ９０１を表示する。
【０１０９】
ウィンドウ９０１は、音声通話を自動的に開始する時間を設定する為の入力欄９０２を含む。また、ウィンドウ９０１は、音声通話を自動的に終了する時間を設定する為の入力欄９０３を含む。制御部１５０は、入力欄９０２及び９０３に入力された時間に基づいて、音声通話を自動的に発信する。
【０１１０】
さらに、ウィンドウ９０１は、上記の時間の設定で繰り返し音声通話を発信するか否かを設定する為のメニュー９０４を含む。メニューの内容は、例えば、「毎日」、「一回」、及び「曜日」である。即ち、制御部１５０は、一回のみ、毎日、または曜日を指定して音声通話を発信する時間を設定することができる。
【０１１１】
また、ウィンドウ９０１は、案内表示を示す表示欄９０７と、音声通話機能によりコンタクトが可能なユーザのリスト９０８とを含む。制御部１５０は、表示欄９０７に「誰と通話しますか？」という案内表示を表示させる。制御部１５０は、リスト９０８内で選択されたユーザに音声通話を発信するように設定する。
【０１１２】
例えば、メニュー９０４で「毎日」が選択された場合、制御部１５０は、毎日入力欄９０２及び９０３に入力された時間に基づいて、リスト９０８内で選択されたユーザに音声通話を発信する。また、例えば、メニュー９０４で「一回」が選択された場合、制御部１５０は、入力欄９０２及び９０３に入力された時間に基づいて、一回のみリスト９０８内で選択されたユーザに音声通話を発信する。
【０１１３】
また、メニュー９０４で「曜日」が選択された場合、制御部１５０は、ウィンドウ９０１内に曜日のリスト９０５を表示させる。これにより、制御部１５０は、音声通話を発信する曜日をユーザに指定させることができる。メニュー９０４で「曜日」が選択された場合、制御部１５０は、リスト９０５で指定された曜日のみ、入力欄９０２及び９０３に入力された時間に基づいて、リスト９０８内で選択されたユーザに音声通話を発信する。
【０１１４】
上記のような構成により、放送受信装置１００は、ユーザの意図に合わせた時間に予め設定された相手に音声通話を発信することができる。これにより、ユーザは、放送受信装置１００により定期的に決まった時間に決まった相手と音声通話をすることができる。
【０１１５】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【０１１６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【０１１７】
１００…放送受信装置、１１３…信号処理部、１２１…音声処理部、１２２…スピーカ、１３１…映像処理部、１３２…ＯＳＤ処理部、１３３…表示処理部、１３４…ディスプレイ、１３５…マイク、１５０…制御部、１５１…ＣＰＵ、１５２…ＲＯＭ、１５３…ＲＡＭ、１５４…不揮発性メモリ、１６１…操作入力部、１６２…受光部、１６３…リモートコントローラ、１７１…通信部、１７２…ストレージ。
【図１】
2014123921.tif 000003
【図２】
2014123921.tif 000004
【図３】
2014123921.tif 000005
【図４】
2014123921.tif 000006
【図５】
2014123921.tif 000007
【図６】
2014123921.tif 000008
【図７】
2014123921.tif 000009
【図８】
2014123921.tif 000010
【図９】
2014123921.tif 000011